(57)【要約】【課題】  水平荷重に対する強度を向上させると共に強度検討が可能な連結固定金具、連結固定装置、連結固定方法、壁下地構造及び壁下地構造の施工方法を提供すること。【解決手段】  第一部材は、長尺部材４１に沿って延在する延長片２４と、延長片２４の側部から突出し長尺部材４１側に直角に折り曲げた折曲片２５とを有する。第二部材は、長尺部材４１に沿って延在する延長片３５を有する。第二部材の延長片３５は、その端部を長尺部材４１側に直角に折り曲げた第一折曲片と、一方の側部から突出し長尺部材４１側に直角に折り曲げた第二折曲片３５ｂと、他方の側部から突出し長尺部材４１側に直角に折り曲げた第三折曲片３５ｃと、嵌入溝とを有する。延長片２４は嵌入溝に嵌入されると共に折曲片２５は延長片３５に対向し、且つ、第三折曲片３５ｃはリップ１２３にビス留め可能にリップ１２３に対向する。【選択図】    図２
2019019649.tif 000002
【特許請求の範囲】
【請求項１】
Ｈ形鋼とリップ溝形鋼とを連結固定させる連結固定金具であって、
前記Ｈ形鋼のフランジに係合させる第一部材と、
前記リップ溝形鋼のリップに係合させる第二部材と、
前記第一部材と前記第二部材とを緊締する緊締手段とを有し、
前記第一部材は、前記緊締手段の長尺部材が貫通する第一面に直交し且つ前記フランジの上角部と係合する切欠部を有する一対の第二面と、一方の第二面から前記長尺部材に沿って延在する延長片と、前記延長片の側部から突出し前記長尺部材側に直角に折り曲げた折曲片とを有し、
前記第二部材は、前記長尺部材が貫通する第一面に直交し且つ前記リップと係合する係合溝を有する第二面と、この第二面に対向し且つ前記長尺部材に沿って延在する延長片を有する第三面とを有し、
前記第二部材の延長片は、その端部を前記長尺部材側に直角に折り曲げた第一折曲片と、この延長片の一方の側部から突出し前記長尺部材側に直角に折り曲げた第二折曲片と、この延長片の他方の側部から突出し前記長尺部材側に直角に折り曲げた第三折曲片と、前記第一折曲片と前記第二折曲片とにより形成される嵌入溝とを有し、
前記第一部材の延長片は前記嵌入溝に嵌入されると共に前記第一部材の折曲片は前記第二部材の延長片に対向し、且つ、前記第三折曲片は前記リップにビス留め可能に前記リップに対向する連結固定金具。
【請求項２】
前記第二部材は、この第二部材の前記第一面、第二面及び第三面と互いに直交する第四面をさらに備え、前記第二部材の第二面は、その端部を外方に向けて直角に折り曲げた第四折曲片をさらに有し、前記第二部材の第四面は、その端部を前記長尺部材側に直角に折り曲げた第五折曲片を有し、前記第四折曲片は前記Ｈ形鋼のフランジに対向し、前記第五折曲片は前記リップ溝形鋼のフランジに対向する請求項１記載の連結固定金具。
【請求項３】
前記第五折曲片は、前記第一部材の他方の第二面の端部の鉛直方向直下に位置する請求項２記載の連結固定金具。
【請求項４】
前記第一部材の第一面及び前記一対の第二面には、前記切欠部に直交する方向に延在するリブが設けられている請求項１〜３のいずれかに記載の連結固定金具。
【請求項５】
Ｈ形鋼とリップ溝形鋼とを連結固定させる連結固定装置であって、
請求項１〜４のいずれかに記載の連結固定金具を一対備え、
一対の連結固定金具は、前記Ｈ形鋼のウェブに対し線対称となる左右対称の形状を呈し、
前記一対の連結固定金具の一方に、他方の連結固定金具と区別する区別手段を設けた連結固定装置。
【請求項６】
前記緊締手段は、前記長尺部材としてのボルトと、このボルトに螺合するナットを備え、前記区別手段は、前記ナットの色の相違である請求項５記載の連結固定装置。
【請求項７】
連結固定金具を用いたＨ形鋼とリップ溝形鋼との連結固定方法であって、
前記連結固定金具は、
前記Ｈ形鋼のフランジに係合させる第一部材と、
前記リップ溝形鋼のリップに係合させる第二部材と、
前記第一部材と前記第二部材とを緊締する緊締手段とを有し、
前記第一部材は、前記緊締手段の長尺部材が貫通する第一面に直交し且つ前記フランジの上角部と係合する切欠部を有する一対の第二面と、一方の第二面から前記長尺部材に沿って延在する延長片と、前記延長片の側部から突出し前記長尺部材側に直角に折り曲げた折曲片とを有し、
前記第二部材は、前記長尺部材が貫通する第一面に直交し且つ前記リップと係合する係合溝を有する第二面と、この第二面に対向し且つ前記長尺部材に沿って延在する延長片を有する第三面とを有し、
前記第二部材の延長片は、その端部を前記長尺部材側に直角に折り曲げた第一折曲片と、この延長片の一方の側部から突出し前記長尺部材側に直角に折り曲げた第二折曲片と、この延長片の他方の側部から突出し前記長尺部材側に直角に折り曲げた第三折曲片と、前記第一折曲片と前記第二折曲片とにより形成される嵌入溝とを有し、
前記第一部材の延長片を前記嵌入溝に嵌入すると共に前記第一部材の折曲片を前記第二部材の延長片に対向させ、且つ、第三折曲片を前記リップに対向配置して前記リップにビス留めするＨ形鋼とリップ溝形鋼との連結固定方法。
【請求項８】
リップ溝形鋼に固定されるランナーと、
前記ランナーに適宜間隔をおいて嵌入されるスタッドと、
前記スタッドに固定される壁材と、
対をなす請求項１〜４のいずれかに記載の連結固定金具を備え、
一対の連結固定金具は、Ｈ形鋼よりなる鉄骨梁のウェブに対し線対称となる左右対称の形状を呈し、
前記連結固定金具の前記第一部材が前記鉄骨梁のフランジの上角部に係合されると共に前記連結固定金具の前記第二部材が前記リップ溝形鋼のリップに係合されてあり、
前記一対の前記連結固定金具の前記緊締手段により前記鉄骨梁と前記リップ溝形鋼とを連結固定した壁下地構造。
【請求項９】
リップ溝形鋼に固定されるランナーと、
前記ランナーに適宜間隔をおいて嵌入されるスタッドと、
前記スタッドに固定される壁材と、
対をなす請求項１〜４のいずれかに記載の連結固定金具を備え、
一対の連結固定金具は、Ｈ形鋼よりなる鉄骨梁のウェブに対し線対称となる左右対称の形状を呈し、
前記連結固定金具の前記第一部材を前記鉄骨梁のフランジの上角部に係合させると共に前記連結固定金具の前記第二部材を前記リップ溝形鋼のリップに係合させ、
前記一対の前記連結固定金具の前記緊締手段を緊締して前記鉄骨梁と前記リップ溝形鋼とを連結固定する壁下地構造の施工方法。
【発明の詳細な説明】
【技術分野】
【０００１】
本発明は、連結固定金具、連結固定装置、連結固定方法、壁下地構造及び壁下地構造の施工方法に関する。さらに詳しくは、Ｈ形鋼とリップ溝形鋼とを連結固定させる連結固定金具、連結固定装置、連結固定方法、壁下地構造及び壁下地構造の施工方法に関する。
【背景技術】
【０００２】
従来、上述の如き連結固定金具としては、例えば特許文献１に記載の如きものが知られている。この固定具は、万力と同様に、ボルトを締め付けることで、ボルト先端と固定具本体の端部とで対象物を挟み込んで保持してある。この構造では、保持力は鉛直方向にのみ生じるため、水平方向に荷重が掛かると滑りが生じる虞があった。また、保持力はボルトの締付トルクによってのみ生じ、ボルト先端と固定具のねじ部とが離隔しているため、モーメントによるボルトのコケが生じる虞もあり、不安定となっていた。このような不安定な連結状態では、強度計算等のための保持力の数値化を行うことも困難であった。
【先行技術文献】
【特許文献】
【０００３】
【特許文献１】特開２００５−３２５６３３号公報
【発明の概要】
【発明が解決しようとする課題】
【０００４】
かかる従来の実情に鑑みて、本発明は、水平荷重に対する強度を向上させると共に強度検討が可能な連結固定金具、連結固定装置、連結固定方法、壁下地構造及び壁下地構造の施工方法を提供することを目的とする。
【課題を解決するための手段】
【０００５】
上記目的を達成するため、本発明に係る連結固定金具の特徴は、Ｈ形鋼とリップ溝形鋼とを連結固定させる構成において、前記Ｈ形鋼のフランジに係合させる第一部材と、前記リップ溝形鋼のリップに係合させる第二部材と、前記第一部材と前記第二部材とを緊締する緊締手段とを有し、前記第一部材は、前記緊締手段の長尺部材が貫通する第一面に直交し且つ前記フランジの上角部と係合する切欠部を有する一対の第二面と、一方の第二面から前記長尺部材に沿って延在する延長片と、前記延長片の側部から突出し前記長尺部材側に直角に折り曲げた折曲片とを有し、前記第二部材は、前記長尺部材が貫通する第一面に直交し且つ前記リップと係合する係合溝を有する第二面と、この第二面に対向し且つ前記長尺部材に沿って延在する延長片を有する第三面とを有し、前記第二部材の延長片は、その端部を前記長尺部材側に直角に折り曲げた第一折曲片と、この延長片の一方の側部から突出し前記長尺部材側に直角に折り曲げた第二折曲片と、この延長片の他方の側部から突出し前記長尺部材側に直角に折り曲げた第三折曲片と、前記第一折曲片と前記第二折曲片とにより形成される嵌入溝とを有し、前記第一部材の延長片は前記嵌入溝に嵌入されると共に前記第一部材の折曲片は前記第二部材の延長片に対向し、且つ、前記第三折曲片は前記リップにビス留め可能に前記リップに対向することにある。
【０００６】
上記構成によれば、第一部材の延長片は、Ｈ形鋼のフランジの上角部と係合する切欠部を有する一方の第二面から長尺部材に沿って延在する。一方、第二部材の延長片は、リップ溝形鋼のリップが係合する係合溝を有する第二面に対向し且つ長尺部材に沿って延在する。そして、第二部材の延長片は、３方へ各々直角に折り曲げられた３つの折曲片と、第一折曲片と第二折曲片とにより形成される嵌入溝とを有する。この幾何学形状及び部材同士の嵌合（配置）により、第一部材の延長片は嵌入溝に嵌入されると共に第一部材の折曲片は第二部材の延長片に対向するので、水平方向Ｘ，Ｙの荷重が掛かったとしても、各部材が分離されることなく部材の嵌合が維持され、強固な連結状態を安定して維持することができる。しかも、第三折曲片はリップにビス留め可能にリップに対向するので、ビス留めによりリップ溝形鋼に対し金具が固定されることとなり、水平方向Ｘ，Ｙに対する強度をさらに向上させると共に強度計算等のための保持力の数値化も可能となる。
【０００７】
また、前記第二部材は、この第二部材の前記第一面、第二面及び第三面と互いに直交する第四面をさらに備え、前記第二部材の第二面は、その端部を外方に向けて直角に折り曲げた第四折曲片をさらに有し、前記第二部材の第四面は、その端部を前記長尺部材側に直角に折り曲げた第五折曲片を有し、前記第四折曲片は前記Ｈ形鋼のフランジに対向し、前記第五折曲片は前記リップ溝形鋼のフランジに対向するとよい。これにより、第四折曲片はその表面でＨ形鋼のフランジを押圧し且つ第五折曲片はその表面でリップ溝形鋼のフランジを押圧する。このように、面で押圧するので、保持力を高めるために強固に緊締したとしても、その緊締による鉛直方向への荷重に耐えきれずに各部材が変形することを防止でき、変形による保持力（強度）低下を防止できる。
【０００８】
係る場合、前記第五折曲片は、前記第一部材の他方の第二面の端部の鉛直方向直下に位置することが望ましい。これにより、Ｈ形鋼のフランジをより強固に保持でき、水平方向に対する強度をさらに向上させる。
【０００９】
また、前記第一部材の第一面及び前記一対の第二面には、前記切欠部に直交する方向に延在するリブが設けられているとよい。これにより、緊締手段の緊締（締付）によるフランジへの押圧力に対し第一部材が補強されるので、緊締による鉛直方向への荷重に耐えきれずに第一部材の各面が変形することを防止でき、変形による保持力低下を防止でき、水平方向に対する強度をさらに向上させる。
【００１０】
上記目的を達成するため、本発明に係る連結固定装置の特徴は、Ｈ形鋼とリップ溝形鋼とを連結固定させる構成において、上記いずれかに記載の連結固定金具を一対備え、一対の連結固定金具は、前記Ｈ形鋼のウェブに対し線対称となる左右対称の形状を呈し、前記一対の連結固定金具の一方に、他方の連結固定金具と区別する区別手段を設けたことにある。係る場合、例えば、前記緊締手段は、前記長尺部材としてのボルトと、このボルトに螺合するナットを備え、前記区別手段は、前記ナットの色の相違であるとよい。これにより、左右対称の連結固定金具の取付ミスを防止し、施工性及び作業性を向上させる。
【００１１】
上記目的を達成するため、本発明に係る連結固定方法の特徴は、連結固定金具を用いたＨ形鋼とリップ溝形鋼との連結固定方法において、前記連結固定金具は、前記Ｈ形鋼のフランジに係合させる第一部材と、前記リップ溝形鋼のリップに係合させる第二部材と、前記第一部材と前記第二部材とを緊締する緊締手段とを有し、前記第一部材は、前記緊締手段の長尺部材が貫通する第一面に直交し且つ前記フランジの上角部と係合する切欠部を有する一対の第二面と、一方の第二面から前記長尺部材に沿って延在する延長片と、前記延長片の側部から突出し前記長尺部材側に直角に折り曲げた折曲片とを有し、前記第二部材は、前記長尺部材が貫通する第一面に直交し且つ前記リップと係合する係合溝を有する第二面と、この第二面に対向し且つ前記長尺部材に沿って延在する延長片を有する第三面とを有し、前記第二部材の延長片は、その端部を前記長尺部材側に直角に折り曲げた第一折曲片と、この延長片の一方の側部から突出し前記長尺部材側に直角に折り曲げた第二折曲片と、この延長片の他方の側部から突出し前記長尺部材側に直角に折り曲げた第三折曲片と、前記第一折曲片と前記第二折曲片とにより形成される嵌入溝とを有し、前記第一部材の延長片を前記嵌入溝に嵌入すると共に前記第一部材の折曲片を前記第二部材の延長片に対向させ、且つ、第三折曲片を前記リップに対向配置して前記リップにビス留めすることにある。
【００１２】
上記目的を達成するため、本発明に係る壁下地構造の特徴は、リップ溝形鋼に固定されるランナーと、前記ランナーに適宜間隔をおいて嵌入されるスタッドと、前記スタッドに固定される壁材と、対をなす上記いずれかに記載の連結固定金具を備え、一対の連結固定金具は、Ｈ形鋼よりなる鉄骨梁のウェブに対し線対称となる左右対称の形状を呈し、前記連結固定金具の前記第一部材が前記鉄骨梁のフランジの上角部に係合されると共に前記連結固定金具の前記第二部材が前記リップ溝形鋼のリップに係合されてあり、前記一対の前記連結固定金具の前記緊締手段により前記鉄骨梁と前記リップ溝形鋼とを連結固定したことにある。
【００１３】
上記目的を達成するため、本発明に係る壁下地構造の施工方法の特徴は、リップ溝形鋼に固定されるランナーと、前記ランナーに適宜間隔をおいて嵌入されるスタッドと、前記スタッドに固定される壁材と、対をなす上記いずれかに記載の連結固定金具を備え、一対の連結固定金具は、Ｈ形鋼よりなる鉄骨梁のウェブに対し線対称となる左右対称の形状を呈し、前記連結固定金具の前記第一部材を前記鉄骨梁のフランジの上角部に係合させると共に前記連結固定金具の前記第二部材を前記リップ溝形鋼のリップに係合させ、前記一対の前記連結固定金具の前記緊締手段を緊締して前記鉄骨梁と前記リップ溝形鋼とを連結固定することにある。
【発明の効果】
【００１４】
上記本発明に係る連結固定金具、連結固定装置、連結固定方法、壁下地構造及び壁下地構造の施工方法の特徴によれば、水平荷重に対する強度を向上させると共に強度検討が可能となった。
【００１５】
本発明の他の目的、構成及び効果については、以下の発明の実施の形態の項から明らかになるであろう。
【図面の簡単な説明】
【００１６】
【図１】本発明に係る連結固定装置を用いた壁下地構造を示す斜視図である。
【図２】本発明に係る連結固定装置の取付状態を示す斜視図である。
【図３Ａ】連結固定金具の第一部材の斜視図である。
【図３Ｂ】連結固定金具の第一部材の斜視図である。
【図４Ａ】連結固定金具の第二部材の斜視図である。
【図４Ｂ】連結固定金具の第二部材の斜視図である。
【図５】連結固定金具の取付状態を示す正面図である。
【図６】連結固定金具の取付状態を示す平面図である。
【図７】連結固定金具の取付状態を示す底面図である。
【図８】連結固定金具の取付状態を示す右側面図である。
【図９】連結固定金具の取付状態を示す左側面図である。
【発明を実施するための形態】
【００１７】
次に、適宜添付図面を参照しながら、本発明をさらに詳しく説明する。
本発明に係る連結固定金具１は、例えば図１に示す如く、大略、リップ溝形鋼１２０の下フランジ１２４にビス等の固定具１０４で固定されるランナー１０１と、ランナー１０１に適宜間隔をおいてその長手方向Ｙに沿って端部が嵌入されるスタッド１０２と、スタッド１０２に固定される一対の壁材１０３，１０３を備える壁下地構造１００において主に用いられる連結固定装置１０を構成する。なお、本例では、スタッド１０２に例えば断面略コの字のチャンネル材を用いるがこれに限られない。また、壁材１０３は、本例の如くスタッド１０２の両面に設ける必要はなく、片面のみでも構わない。
【００１８】
連結固定装置１０は、図１，２に示すように、天井スラブＳに配設されたＨ形鋼よりなる鉄骨梁１１０とこの鉄骨梁１１０の直下で直交するリップ溝形鋼１２０とを連結固定させるものであり、連結固定金具１を一対備える。一対の連結固定金具１Ａ，１Ｂは、鉄骨梁１１０のウェブ１１１に対し線対称となる左右対称の形状を呈する。本実施形態において、一方の連結固定金具１Ｂには、他方の連結固定金具１Ａと区別する区別手段１１として、他方の連結固定金具１Ａの上ナット４２Ａと異なる色の上ナット４２Ｂを用いてある。
【００１９】
連結固定金具１は、図１，２に示すように、大略、鉄骨梁１１０の下フランジ１１３に係合させる第一部材２と、リップ溝形鋼１２０の上リップ１２３に係合させる第二部材３と、第一部材２と第二部材３とを緊締する緊締手段４とを有する。
【００２０】
第一部材２は、図３Ａ，３Ｂに示すように、緊締手段４の長尺部材としてのボルト４１を貫通させる貫通孔２１ａを有する第一面２１と、第一面２１と直交し且つ鉄骨梁１１０の下フランジ１１３の上角部１１３ａと係合する切欠部２３を有する一対の第二面２２ａ，２２ｂと、一方の第二面２２ａからボルト４１（鉛直方向Ｚ）に沿って延在する板状の延長片２４と、延長片２４の側部２４ａから突出しボルト４１側（金具内側）に直角に折り曲げた平板状の折曲片２５とを有する。本実施形態において、第一面２１及び一対の第二面２２ａ，２２ｂには、切欠部２３に直交する方向に延在するリブ２９が連続して（一体に）形成されてある。これにより、第一面２１及び一対の第二面２２ａ，２２ｂの端部２６ａ，２６ｂの強度を向上させて、後述する緊締手段４の締付トルクによる変形（開き）を防止し、変形による保持力（強度）低下する。
【００２１】
第二部材３は、図４Ａ，４Ｂに示すように、緊締手段４のボルト４１を貫通させる貫通孔３１ａを有する第一面３１と、第一面３１と直交し且つ上リップ１２３と係合する係合溝３３を有する第二面３２と、この第二面３２に対向し且つボルト４１に沿って延在する板状の延長片３５を有する第三面３４とを有する。
【００２２】
第二部材３の延長片３５は、その端部をボルト４１側に直角に折り曲げた第一平板状の第一折曲片３５ａと、この延長片３５の一方の側部３５ｄから突出しボルト４１側に直角に折り曲げた平板状の第二折曲片３５ｂと、この延長片３５の第四面３６側（他方）の側部３５ｅから突出しボルト４１側に直角に折り曲げた平板状の第三折曲片３５ｃと、第一折曲片３５ａと第二折曲片３５ｂとの間に第一部材の延長片が嵌入する嵌入溝３７とを有する。この第三折曲片３５ｃは、上リップ１２３にビス３９を取り付けるビス留め孔３８を有する。
【００２３】
本実施形態において、第二部材３は、第一面３１、第二面３２及び第三面３４と互いに直交する第四面３６をさらに備える。また、第二部材３の第二面３２は、その端部を外方に向けて直角に折り曲げた平板状の第四折曲片３２ａをさらに有する。第二部材３の第四面３６は、その端部をボルト４１側に直角に折り曲げた平板状の第五折曲片３６ａをさらに有する。
【００２４】
緊締手段４は、図１，２に示すように、大略、第二部材３の第一面３１に取り付けられ第一部材２の第一面２１を貫通する長尺部材としてのボルト４１と、第一部材２の第一面２１に接する上ナット４２及び上ワッシャー４４と、第二部材３の第一面３１に接する下ナット４３及び下ワッシャー４５からなる。
【００２５】
ここで、図１，２，５〜９を参照しながら、壁下地構造１００の施工方法を例に連結固定金具１の取付方法について説明する。なお、図６，７では、説明の便宜上、鉄骨梁１１０の下フランジ１１３を省略してある。
上述したように、本実施形態に係る壁下地構造１００の連結固定装置１０では、左右対称の一対の連結固定金具１Ａ，１Ｂの区別手段１１として、上ナット４２Ａ，４２Ｂの色を異ならせてある。ここで、例えば、施工前からボルト４１に上ナット４２を装着（螺合）させておくことで、作業者は施工時に必ず上ナット４２を目視する。よって、作業性を低下させずに、上ナット４２の色の違いでＨ形鋼（鉄骨梁）１１０のウェブ１１１に対し左右どちら側に取り付けるのかを確認でき、施工ミスを防止できる。
【００２６】
次に、第一面３１に下ナット４３及び下ワッシャー４５を介してボルト４１が固定された第二部材３の係合溝３３に上リップ１２３を係合させて、第二部材３とリップ溝形鋼１２０とを係合させる。そして、ボルト４１を介して第一部材２を鉄骨梁１１０の下フランジ１１３の上角部１１３ａに一対の切欠部２３，２３を係合させる。そして、上ナット４２をボルト４１に締め付けることで第一、第二部材２，３を緊締させる。なお、本例における連結固定金具１は、例えば図５に示す下フランジ１１３の肉厚ｔが８〜５０ｍｍの鉄骨梁１１０に対応可能である。
【００２７】
ここで、図２，９に示す如く、第一部材２の延長片２４は第二部材３の嵌入溝３７に嵌入されてあるので、嵌入溝３７の底部によりリップ溝形鋼１２０の長手方向Ｙ（壁面外方向）への移動が制限されると共に、第一折曲片３５ａと第二折曲片３５ｂにより水平方向Ｘ（壁面内方向）への移動も制限される。また、図２，８，９に示すように、第一部材２の延長片２４の折曲片２５は第二部材３の延長片３５に対向すると共に、第二部材３の延長片３５の第二折曲片３５ｂは第一部材２の延長片２４に対向する。このように、第一、第二部材２，３は互いに嵌合、当接するので、壁面内方向Ｘ及び壁面外方向Ｙに対して強度を向上させることができる。
【００２８】
また、緊締手段４の緊締によって、図１，２，５，８に示すように、第二部材３の第四折曲片３２ａは鉄骨梁１１０の下フランジ１１３の裏面１１３ｂに面接触して押圧し、且つ、第五折曲片３６ａはリップ溝形鋼１２０の上フランジ１２２の内面１２２ａに面接触して押圧する。このように、面で接触して押圧するので、保持力を向上させることができると共に、例え過度に緊締したとしても、その締付トルクによる第二部材３の第二面３２や第四面３６が変形（開き）することを抑制でき、変形による保持力（強度）低下を防止できる。しかも、第五折曲片３６ａは、下フランジ１１３を挟んで第一部材２の他方の第二面２２ｂの端部２６ｂの鉛直方向Ｚ直下に位置（対向）するので、締付トルクを効率よく下フランジ１１３の挟持に利用できる。
【００２９】
さらに、図５に示す如く、第三折曲片３５ｃを上リップ１２３に対向させ、図１，２に示す如くビス留め孔３８を介してビス３９で上リップ１２３にビス留め固定する。これにより、リップ溝形鋼１２０に対し連結固定金具１が固定されるので、壁面内方向Ｘ及び壁面外方向Ｙに対してさらに強度が向上する。また、強度試験等を実施して連結固定金具１の許容耐力の数値化が可能となり、例えば間仕切壁の強度検討も可能となる。そして、他方側の連結固定金具１も同様に取り付けて、壁下地構造１００を構築する。
【００３０】
最後に、本発明の他の実施形態の可能性について言及する。なお、上述の実施形態と同様の部材には同一の符号を附してある。
上記実施形態の壁下地構造１００において、ランナー１０１をリップ溝形鋼１２０に直交させたが、平行にすることも可能である。また、上記実施形態において、緊締手段４を長尺部材としてのボルト４１及び上下ナット４２，４３により構成したが、第一部材２と第二部材３とを緊締（締付）可能な態様のものであれば、特に限定されない。例えば、割りピン、スナップピンやかんぬき等、Ｈ形鋼１１０及びリップ溝形鋼１２０を挟み込んで第一部材２と第二部材３とを締め付けて固定可能なものが挙げられる。さらに、例えば第一部材２の貫通孔２１ａにタップでめねじを形成（ネジ穴加工）し、ボルト４１で締結することも可能である。また、ドリルねじで第一、第二部材２，３を締結固定することも可能である。
【００３１】
また、上記実施形態において、連結固定装置１０の一対の連結固定金具１Ａ，１Ｂの区別手段１１として、緊締手段４のボルト４１に螺合する上ナット４２の色を異なるようにした。しかし、この区別手段１１はこれに限られるものではなく、例えばボルト４１の色の相違、第一部材２や第二部材３への刻印等のマーク等であってもよく、識別可能な態様のものであればよい。
【００３２】
上記実施形態において、第二部材３に第四面３６を設け、第二部材３の第二面３２に第四折曲片３２ａを設け、第二部材３の第四面３６に第五折曲片３６ａを設けたが、このような平板状の折曲片を省略し、例えば突起状の端部を当接させるように構成することも可能である。しかし、上記実施形態の如く、第四折曲片３２ａ及び第五折曲片３６ａを鉄骨梁１１０及びリップ溝形鋼１２０に面接触させることで保持力の向上及び変形（開き）防止を可能としており、この点で上記実施形態が優れている。
【符号の説明】
【００３３】
１：連結固定金具、２：第一部材、３：第二部材、４：緊締手段、１０：連結固定装置、１１：区別手段、２１：第一面、２２ａ，２２ｂ：第二面、２３：切欠部、２４：延長片、２５：折曲片、２６ａ，２６ｂ：端部、２９：リブ、３１：第一面、３２：第二面、３２ａ：第四折曲片、３３：係合溝、３４：第三面、３５：延長片、３５ａ：第一折曲片、３５ｂ：第二折曲片、３５ｃ：第三折曲片、３６：第四面、３６ａ：第五折曲片、３７：嵌入溝、３８：ビス留め孔、３９：ビス、４１：ボルト（長尺部材）、４２：上ナット、１００：壁下地構造（間仕切壁構造）、１０１：ランナー、１０２：スタッド、１０３：壁材、１１０：鉄骨梁（Ｈ形鋼）、１１３：下フランジ、１１３ａ：上角部、１１３ｂ：裏面、１２０：リップ溝形鋼、１２２：上フランジ、１２２ａ：内面、１２３：上リップ、Ｓ：天井スラブ、Ｘ：水平方向（壁面内方向）、Ｙ：長手方向（壁面外方向）、Ｚ：鉛直方向、
【図１】
2019019649.tif 000003
【図２】
2019019649.tif 000004
【図３Ａ】
2019019649.tif 000005
【図３Ｂ】
2019019649.tif 000006
【図４Ａ】
2019019649.tif 000007
【図４Ｂ】
2019019649.tif 000008
【図５】
2019019649.tif 000009
【図６】
2019019649.tif 000010
【図７】
2019019649.tif 000011
【図８】
2019019649.tif 000012
【図９】
2019019649.tif 000013